【事件の表示】
　平成　９年特許願第１９５２１８号「切換え可能な直列接続されたハム消去巻線内蔵の電子楽器用ピックアップ装置」拒絶査定不服審判事件〔平成１０年　４月１０日出願公開、特開平１０−　９１１６５〕について、次のとおり審決する。
【結　論】
　本件審判の請求は、成り立たない。
【理　由】
１．手続の経緯
　本願は、平成９年７月７日（パリ条約による優先権主張　１９９６年７月８日（ＵＳ）米国）の出願であって、平成１９年１１月２１日付けで拒絶査定がなされ、これに対し、平成２０年３月１７日に拒絶査定に対する審判請求がなされるとともに、同年４月１６日付けで手続補正がなされたものである。
　
２．平成２０年４月１６日付けの手続補正についての補正却下の決定
［補正却下の決定の結論］
　平成２０年４月１６日付けの手続補正を却下する。
　
［理由］
２−１．補正後の本願発明
　本件補正により、特許請求の範囲の請求項１は、
「駒及び指板を有するギターと；
　該ギターの弦の直下で、かつ前記指板に近接して前記ギター上に取り付けられた単一コイルリズムピックアップであって、各単一コイル及び第一の磁気方向を有する各磁石を含むリズムピックアップと；
　該ギターの弦の直下で、かつ前記駒に近接して前記ギター上に取り付けられた単一コイル最高音ピックアップであって、各単一コイル及び前記第一の磁気方向とは異なる第二の磁気方向を有する第二の磁石を含む最高音ピックアップと；
　磁石なしに前記ギターに取り付けられた単一コイル巻線であって、前記巻線は該ギターの弦の動きに反応せず、リズムピックアップ及び最高音ピックアップから離間して配置され、電気的に接地された一端を有する巻線と；
　前記リズムピックアップ及び前記最高音ピックアップの各々の各単一コイルの両端並びに電気的に接地された一端から前記巻線の他端に接続されたスイッチであって、前記スイッチは少なくとも三つの位置に動作可能であり、第一の位置で前記スイッチは前記巻線を前記ピックアップの一方と直列でありかつハムを打ち消す関係に接続し、第二の位置で前記スイッチは前記巻線を前記ピックアップの他方と直列でありかつハムを打ち消す関係に接続し、第三の位置で前記スイッチは前記リズムピックアップを前記最高音ピック
アップと直列でありかつハムを打ち消す関係に接続するスイッチとからなることを特徴とする電子ギター用のピックアップ装置。」
と補正された。
　上記補正は、リズムピックアップについて、補正前の請求項４で「該ギ
ターの弦の直下で、かつ前記指板に近接して前記ギター上に取り付けられた単一コイルリズムピックアップ」とあったものを「該ギターの弦の直下で、かつ前記指板に近接して前記ギター上に取り付けられた単一コイルリズム
ピックアップであって、各単一コイル及び第一の磁気方向を有する各磁石を含むリズムピックアップ」と限定し、
最高音ピックアップについて、補正前の請求項４で「前記ギターの弦の直下で、かつ前記ギター上に配置され、さらに前記駒に近接して取り付けられた単一コイル最高音ピックアップ」とあったものを「該ギターの弦の直下で、かつ前記駒に近接して前記ギター上に取り付けられた単一コイル最高音ピックアップであって、各単一コイル及び前記第一の磁気方向とは異なる第二の磁気方向を有する第二の磁石を含む最高音ピックアップ」と限定するものであるから、少なくとも特許請求の範囲の減縮を目的とするものである。
　そこで、本件補正後の前記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法（以下、「平成１８年改正前特許法」という。）１７条の２第５項において準用する同法第１２６条第５項の規定に適合するか）について以下に検討する。
　
２−２．引用例
　原査定の拒絶の理由に引用され、本願の優先日前の１９８６年に頒布された米国特許第４５８１９７５号明細書（以下、「引用例」という。）には、図面とともに以下の記載がなされている。
　
（１）「2. Description of the Prior Art
……
　With such an electromagnetic pick-up construction, a number of problems exist. Electric guitars and other similar electrical musical instruments are used in areas having strong magnetic fields from lighting fixtures, motors, transformers, and the like, and these magnetic fields are sensed by the pick-up as an extraneous noise source. In the United States, such source typically has a frequency of 60 Hz, the usual power line frequency. These magnetic fields induce voltages in the coil which are also amplified and transmitted to the loudspeaker system, manifesting themselves in an objectionable hum.
　In order to overcome this problem, it is known to provide a pick-up for an electrical musical instrument including a pair of identical pick-up assemblies, each having a plurality of magnetic pole pieces and a coil, the pick-up assemblies being positionable in parallel, spaced, closely adjacent relationship. All of the pole pieces of one of the pick-up assemblies have their north poles adjacent to the strings and their south poles relatively remote from the strings whereas all of the pole pieces of the other pick-up assembly have their south poles adjacent to the strings and their north poles relatively remote from the strings. The coils of the two pick-up assemblies are wound in opposite directions and the two coils are connected either in series or in parallel. Because the direction of current flow in each coil is governed by the magnetic polarity, the direction of current flow in one coil is opposite to that of the other coil for each string. However, since the directions of the windings of the two coils are opposite, the signal induced in each coil as a result of string vibrations is additive and the output signal is the sum of the signals induced in each coil.
　On the other hand, signals picked up by the coils from power line sources produce currents in the coils which are independent of the magnetic polarity and, accordingly, such power line sources produce voltages that are in phase. However, since the coils are wound in opposite directions, these in phase signals cancel and the output signal is the difference between the power line signals induced in each coil. This means that any noise from power line sources, which is otherwise manifested as an objectionable hum, is effectively reduced or cancelled. It is for this reason that such an arrangement is typically characterized as a humbucking arrangement.」
（第１欄第１３行−第２欄第１５行）
　
（２）「SUMMARY OF THE INVENTION
　According to the present invention, these problems are solved in a manner unknown heretofore. According to the present invention, an electrical musical instrument of the stringed type is provided with two or three primary pick-up assemblies and, in either case, a lesser number of additional secondary pick-up assemblies are all that is necessary to provide a humbucking arrangement. Preferably, the secondary pick-up assemblies are not used for signal generation. Furthermore, the pick-up operates either with or without an instrument mounted preamplifier. With the preamplifier in use, the signals from the primary and secondary pick-up assemblies are summed at the preamplifier before being conducted to the amplification system. The preamplifier may be bypassed and the signals from the primary pick-up assemblies conducted directly to the amplification system. When using this latter approach, the preamplifier summing resistors are bypassed so that the signal conducted to the amplification system is maximized, yet the possibility still exists for humbucking.
　The present pick-up also includes a dual tone control arrangement so that the primary and secondary coils can be balanced simultaneously. Also, the arrangement of the primary coils is such that the operation of the secondary humbucking coils is not affected thereby.」
（第２欄第３７行−第２欄第６２行）
　
（３）「DESCRIPTION OF THE PREFERRED EMBODIMENT
　Referring now to the drawings and, more particularly, to FIG. 1 thereof, the present invention is illustrated as being incorporated in an electrical guitar, generally designated 10, including a body 11, a fretted neck 12, and a head 13 being connected to one end of neck 12, the other end of neck 12 being connected to body 11. Tensioned between head 13 of guitar 10 and a bridge assembly 14 are a plurality of strings 15 which generally lie in a single plane parallel to the face of body 11. Strings 15 are constructed of a magnetizable substance, such as steel, and are graduated in diameter in a conventional manner.
　Positioned on the face of body 11 is a pick guard 16 which is typically made from a plastic or other scratch-resistant material. Also mounted on the face of body 11 is a switch 17, a switch 18, a volume control 19 and a tone control 20.
　In order to derive an output from guitar 10, it is provided with an electromagnetic pick-up, generally designated 25, which forms the subject matter of the present invention. Vibrations of strings 15, as a result of plucking or picking the same, produce electrical signals in pick-up 25, which signals may be suitably amplified and transmitted to a loudspeaker system.
　Referring now to FIGS. 1-3, and in accordance with a first embodiment of the present invention, pick-up 25 includes first, second and third primary pick-up assemblies 30, 40 and 50, respectively, which are positioned in spaced relationship between neck 12 and bridge assembly 14 with pick-up assembly 40 being positioned between pick-up assemblies 30 and 50. Pick-up assemblies 30, 40 and 50 are identical and include a plurality of identical magnetic elements (pole pieces) 31, 41 and 51, respectively, which may be magnetized in any one of several ways known to those skilled in the art. The number of pole pieces in each pick-up assembly is preferrably identical and preferably the same as the number of strings 15. However, such is not required and each pick-up assembly 30-50 can have any number of pole pieces from one or more. According to the preferred embodiment of the present invention, the individual pole pieces are not magnetized, but are made from a magnetizable substance and a magnetic field is produced by positioning a bar magnet 32, 42 and 52 in contact with the bases of pole pieces 31, 41 and 51, respectively.
　Pick-up assemblies 30, 40 and 50 are constructed and mounted in body 11 in a conventional manner. For example, pick-up assembly 30 includes upper and lower support plates 33 and 34, through which pole pieces 31 extend, and a bottom support plate 35 which extends between lower support plate 34 and magnet 32. A magnetic keeper 36 extends along the bottom surface of magnet 32. The entire assembly is positioned within a channel 21 in body 11. A spring 37 extends between keeper 36 and the bottom of channel 21 to urge pick-up assembly 30 upwardly. A cap 38 surrounds and contains the pick-up assembly structure. Cap 38 and the upper ends of pole pieces 31 extend through pick guard 16 into close proximity with strings 15. A plurality of screws 24 extend through cap 38 and hold pick-up assembly 30 within channel 21 in body 11. In this manner, the height of pick-up assembly 30 may be adjusted relative to strings 15.
　Pick-up assemblies 40 and 50 are positioned within channels 22 and 23, respectively, in body 11 and have parts corresponding to those discussed in connection with pick-up assembly 30. The corresponding parts have the same last number, with the first number being 3, 4 or 5 for pick-up assemblies 30, 40 and 50, respectively. The only difference is that all of pole pieces 31 and 51 of pick-up assemblies 30 and 50 have their south poles adjacent to strings 15 and their north poles relatively remote from strings 15 whereas all of pole pieces 41 of pickup assembly 40 have their north poles adjacent to strings 15 and their south poles relatively remote from strings 15. This arrangement may be reversed, the significant fact being that pole pieces 41 are oriented oppositely to pole pieces 31 and 51.
　Coils 39, 49 and 59 are formed from a large number of turns of fine conductive wire and are wound around pole pieces 31, 41 and 51, respectively. The wire in coils 39, 49 and 59 is insulated, such as with varnish or lacquer, and the entire assemblies comprising the pole pieces, the supporting plates and the coils are preferrably dipped in a suitable varnish or lacquer. Coil 39 extends between support plates 33 and 34 and the arrangement is similar in pick-up assemblies 40 and 50. As known in the art, movement of strings 15, as in the strumming or playing of guitar 10, results in voltages being induced in coils 39, 49 and 59. As will be described more fully in connection with FIG. 3, these voltages are transferred to the input circuit of a preamplifier 80 before being conducted to a suitable loudspeaker system.
　So that the signals from coils 39, 49 and 59 are additive, coil 49 is wound in an opposite direction to coils 39 and 59. Because the direction of current flow in each coil is governed by the magnetic polarity, the direction of current flow in coil 49 will be opposite to that in coils 39 and 59. However, since the direction of winding of coil 49 is opposite to coils 39 and 59, the voltages induced in all coils as a result of string vibrations are additive.
　Pick-up 25 includes a first switch 81 which includes an arm 82 and three terminals 83, 84 and 85 which are connected to first ends of coils 39, 49 and 59, respectively, the other ends of these coils being connected to circuit ground. According to this embodiment of the invention, arm 82 is part of five-position switch 17 and can be connected either to terminal 83, terminals 83 and 84, terminal 84, terminals 84 and 85, or terminal 85. Arm 82 is also connected to a resistor 86 which is part of a summing circuit 87 connected to the input of preamplifier 80.
　Pick-up 25 also includes secondary pick-up assemblies 60 and 70 positioned in spaced relationship between neck 12 and bridge assembly 14 with pick-up assembly 60 positioned between pick-up assemblies 30 and 40 and pick-up assembly 70 positioned between pick-up assemblies 40 and 50. Pick-up assemblies 60 and 70 are referred to as secondary because they are preferably not used for signal production and are only used for humbucking. Pick-up assemblies 60 and 70 are similar to pick-up assemblies 30, 40 and 50 in that they include pole pieces 61 and 71, respectively, support plates 63-65 and 73-75, respectively, and coils 69 and 79, respectively. Pick-up assemblies 60 and 70 differ from pick-up assemblies 30, 40 and 50 in that pole pieces 61 and 71 of pick-up assemblies 60 and 70 are not magnetized and pick-up assemblies 60 and 70 preferably do not include magnets, caps or springs. Pick-up assemblies 60 and 70 are mounted within channels 26 and 27, respectively, in body 11 of guitar 10 and are preferably positioned below pick guard 16 so that they are not generally visible. The reason for this is described more fully in my co-pending application Ser. No. 598,219, filed concurrently herewith, and entitled Humbucking Pick-up Assembly Including an Unmagnetized, Disassociated Coil. Pick-up assemblies 60 and 70 are used exclusively for humbucking.
　Coil 69 of pick-up assembly 60 is wound in a direction opposite to coils 39 and 59 of pick-up assemblies 30 and 50, respectively, and coil 79 of pick-up assembly 70 is wound in a direction opposite to coil 49 of pick-up assembly 40. Because coils 69 and 79 are unmagnetized, they are not responsive to string vibrations. On the other hand, coils 69 and 79 do pick up noise signals which are not dependent upon a magnetic polarity. Because of the opposite direction of winding, coil 69 is capable of operating in a humbucking arrangement with coils 39 and 59 and coil 79 is capable of operating in a humbucking arrangement with coil 49.
Pick-up 25 includes a second switch 91 which includes an arm 92 and three terminals 93, 94, and 95. Arm 92 is part of switch 17 and can be connected either to terminal 93, terminals 93 and 94, terminal 94, terminals 94 and 95 or terminal 95. Terminals 93 and 94 are connected to first ends of coils 69 and 79, respectively, the other ends of which are connected to circuit ground. Terminal 95 is connected to terminal 93. Arm 92 is also connected to a resistor 88 which is part of summing circuit 87 for preamplifier 80. Arms 82 and 92 are mechanically interconnected for simultaneous movement under control of switch 17 of guitar 10.
In operation, it is seen that when using preamplifier 80, summing circuit 87 sums the signals from coils 39, 49, 59, 69 and/or 79 at the input of preamplifier 80, depending upon the position of switch 17. When in its first position, the signals from coils 39 and 69 are conducted to preamplifier 80 and, for reasons described more fully hereinbefore, coils 39 and 69 function in a humbucking arrangement. It should also be noted that since coil 69 is not magnetized, it does not affect the signal producing qualities of coil 39. When moved to the second position, switch 17 conducts the signals from coils 39, 49, 69 and 79 to preamplifier 80, with coils 79 and 49 operating in a humbucking arrangement. In the third position, the signals from coils 49 and 79 are conducted to preamplifier 80. In the fourth position, because of the connection between terminals 93 and 95, the signals from coils 49, 59, 69 and 79 are conducted to the input of preamplifier 80. In the fifth position, the signals from coils 59 and 69 are conducted to preamplifer 80. Thus, it is seen that coil 69 functions as a humbucker for both of coils 39 and 59 and only two secondary coils are required rather than three.」
（第３欄第４４行−第６欄第２９行）
　
（４）「Referring now to FIGS. 4-7, according to a third embodiment of the invention, pick-up 25 includes primary pick-up assemblies 30 and 40 and secondary pick-up assembly 60 and switch 17 is replaced by a switch 110. Switch 110 is also a three-position switch but has a more complex arrangement so that coil 69 of secondary pick-up assembly 60 can be used as a humbucker for either coil 39 of primary pick-up assembly 30 or coil 49 of primary pick-up assembly 40.
　Referring now to FIG. 4, switch 110 includes first and second switch sections 120 and 130, respectively, which include sixe terminals 121-126 and 131-136, respectively. Switch section 120 includes a pair of switch arms 127 and 128, first ends of which are connected to terminals 122 and 125, respectively. Coil 69 is connected between terminals 121 and 124. Terminal 122 is connected to ground and terminal 125 is connected to summing circuit 87. Terminal 121 is connected to terminal 126 by a jumper 129A and terminal 123 is connected to terminal 124 by a jumper 129B.
　Switch section 130 includes a pair of switch arms 137 and 138, first ends of which are connected to terminals 132 and 135, respectively. Coil 39 is connected between terminal 134 and ground whereas coil 49 is connected between terminal 136 and ground. Terminal 132 is connected to summing circuit 87. A jumper wire 139A is connected between terminals 131 and 134, a jumper wire 139B is connected between terminals 132 and 135 and a jumper wire 139C is connected between terminals 133 and 136.
　The three positions of switch sections 120 and 130 are shown in FIGS. 5, 6 and 7. With reference to FIG. 5, it is seen that in a first position of switch 110, arms 127, 128, 137 and 138 are in contact with terminals 121, 124, 131 and 134, respectively. In this position, coils 39 and 69 are connected to summing circuit 87. As described previously, coil 69 is wound in an opposite direction to coil 39 so that the arrangement achieves humbucking in the same manner as previously described.
　In the position of switch 110 shown in FIG. 6, arms 127, 128, 137 and 138 are in contact with terminals 123, 126, 133 and 136, respectively. In this position, coils 49 and 69 are connected to summing circuit 87. However, since coil 49 is wound in an opposite direction to coil 39, it should be noted that the terminals of coil 69 are reversed before connecting it to summing circuit 87 so that coil 69 can function in a humbucking arrangement with coil 49. It is this technique for reversing the leads of coil 69 which enables it to function as a humbucker for both coils 39 and 49.
　FIG. 7 shows the middle position of switch 110 where arms 127, 128, 137 and 138 are in contact with terminals 121, 126, 131 and 136, respectively. It is immediately noted that coils 39 and 49 are connected in parallel and that coil 69 is bypassed. It will be recalled that coils 39 and 49 are wound in opposite directions and that the pole pieces associated therewith are oppositely poled. For reasons explained previously, the signals from coils 39 and 49 are additive and they comprise a humbucking arrangement. This eliminates the necessity for using coil 69 for humbucking and it is not so used. It is also this position of switch 110 which would be used when arm 98 of switch 18 is in contact with terminal 97.」
（第７欄第３７行−第８欄第３１行）
　
　また、Ｆｉｇ．１として、エレキギター（an electrical guitar）の指板上の音程を決める突起した線のあるネック（a fretted neck 12）に近接してピックアップ３０（pick-up assemblies 30）が、ピックアップ３０よりこま（bridge assembly 14）に近い位置にピックアップ４０（pick-up assemblies 40）が配置された図が示されている。
　Ｆｉｇ．２として、弦（strings 15）の直下に、
コイル３９（coils 39）、ポールピース３１（pole pieces 31）、及び磁石３２（a bar magnet 32）とからなるピックアップ３０と、
コイル４９（coils 49）、ポールピース４１（pole pieces 41）、及び磁石４２（a bar magnet 42）とからなるピックアップ４０と、
ピックアップ３０とピックアップ４０との間に、それらから離間して、コイル６９（coils 69）、ポールピース６１（pole pieces 61）とからなるピックアップ６０（pick-up assemblies 60）とが、
エレキギターのボディ（a body 11）に取り付けられた図が示されており、ピックアップ３０は弦の方向がＳ極に、ピックアップ４０は弦の方向がＮ極に磁化されていることが示されている。
　Ｆｉｇ．４として、三つの位置に動作可能なスイッチ（a three-position switch）であるスイッチ１１０（a switch 110）、ピックアップ３０のコイル３９、ピックアップ４０のコイル４９、ピックアップ６０のコイル６
９、及び加算回路（summing circuit 87）等からなる回路が示されている。
　Ｆｉｇ．５として、スイッチ１１０の第１の位置で、コイル６９の一端
（端子１２１がわ）が接地され、その他端（端子１２４がわ）と、コイル３９の接地されていない一端が、それぞれ加算回路に接続されることが示されている。
　Ｆｉｇ．６として、スイッチ１１０の第２の位置で、コイル６９の他端
（端子１２４がわ）が接地され、その一端（端子１２１がわ）と、コイル４９の接地されていない一端が、それぞれ加算回路に接続されることが示されている。
　Ｆｉｇ．７として、スイッチ１１０の第３の位置で、コイル３９の接地されていない一端とコイル４９の接地されていない一端とが接続されることで並列接続されるとともに、加算回路に接続されることが示されている。
　
　したがって、引用例には次の発明（以下「引用発明」という。）が記載されているといえる。
　
「こま及び指板上の音程を決める突起した線のあるネックを有するエレキギターと、
　弦の直下に、前記ネックに近接して前記エレキギターのボディに取り付けられた、コイル３９、ポールピース３１、及び磁石３２とからなるピックアップ３０と、
　弦の直下に、前記ピックアップ３０よりこまに近い位置で前記エレキギ
ターのボディに取り付けられた、コイル４９、ポールピース４１、及び前記磁石３２の磁気方向とは異なる磁気方向を有する磁石４２とからなるピックアップ４０と、
　ピックアップ３０とピックアップ４０との間に、それらから離間して前記エレキギターのボディに取り付けられた、コイル６９、磁化されないポールピース６１とからなる弦の振動に反応しないピックアップ６０と、
　三つの位置に動作可能なスイッチであって、
第１の位置で、コイル６９の一端（端子１２１がわ）が接地され、その他端（端子１２４がわ）と、コイル３９の接地されていない一端が、それぞれ加算回路に接続されることで、ハムを減少または打ち消すハムバッキングを行い、
第２の位置で、コイル６９の他端（端子１２４がわ）が接地され、その一端（端子１２１がわ）と、コイル４９の接地されていない一端が、それぞれ加算回路に接続されることで、ハムを減少または打ち消すハムバッキングを行い、
第３の位置で、コイル３９の接地されていない一端とコイル４９の接地されていない一端とが接続されることで並列接続されるとともに、加算回路に接続されることで、ハムを減少または打ち消すハムバッキングを行うスイッチと
からなることを特徴とするエレキギターのピックアップ装置。」
　
２−３．対比
　引用発明の「こま及び指板上の音程を決める突起した線のあるネックを有するエレキギター」は、本願補正発明の「駒及び指板を有するギター」に対応し、エレキギターのピックアップ装置であるから、電子ギター用のピックアップ装置といえる。
　引用発明は、ピックアップ３０、ピックアップ４０、及び弦の振動に反応しないピックアップ６０の、３つのピックアップを有するものであり、
ピックアップ３０は指板上の音程を決める突起した線のあるネックに近接してエレキギターのボディに取り付けられたものであり、コイル３９と磁石３２を有するものであるから、本願補正発明の「該ギターの弦の直下で、かつ前記指板に近接して前記ギター上に取り付けられた単一コイルリズムピックアップであって、各単一コイル及び第一の磁気方向を有する各磁石を含むリズムピックアップ」に対応するものであり、
ピックアップ４０は、ピックアップ３０よりこまに近い位置でエレキギターのボディに取り付けられたもので、このピックアップ４０よりこまに近いピックアップはなく、コイル４９と前記磁石３２の磁気方向とは異なる磁気方向を有する磁石４２を有するものであるから、本願補正発明の「該ギターの弦の直下で、かつ前記駒に近接して前記ギター上に取り付けられた単一コイル最高音ピックアップであって、各単一コイル及び前記第一の磁気方向とは異なる第二の磁気方向を有する第二の磁石を含む最高音ピックアップ」に対応するものであり、
ピックアップ６０は、コイル６９と磁化されないポールピース６１とからなる弦の振動に反応しないものであり、ピックアップ３０とピックアップ４０との間に、それらから離間してエレキギターのボディに取り付けられたものであるから、本願補正発明の「巻線」と、「磁石なしに前記ギターに取り付けられた単一コイル巻線であって、前記巻線は該ギターの弦の動きに反応せず、リズムピックアップ及び最高音ピックアップから離間して配置され」とする点で共通する。
　本願補正発明の「スイッチ」と、引用発明の「スイッチ」とは、少なくとも三つの位置に動作可能であり、
第一の位置で巻線（ピックアップ６０のコイル６９）とリズムピックアップ及び最高音ピックアップ（ピックアップ３０及びピックアップ４０）の一方をハムを打ち消す関係に接続し、
第二の位置で巻線（ピックアップ６０のコイル６９）とリズムピックアップ及び最高音ピックアップ（ピックアップ３０及びピックアップ４０）の他方をハムを打ち消す関係に接続し、
第三の位置でリズムピックアップ及び最高音ピックアップ（ピックアップ３０及びピックアップ４０）をハムを打ち消す関係に接続し、
とする点で共通する。
　
　したがって、本願補正発明と引用発明とを対比すると、次の点で一致す
る。
　
「駒及び指板を有するギターと；
　該ギターの弦の直下で、かつ前記指板に近接して前記ギター上に取り付けられた単一コイルリズムピックアップであって、各単一コイル及び第一の磁気方向を有する各磁石を含むリズムピックアップと；
　該ギターの弦の直下で、かつ前記駒に近接して前記ギター上に取り付けられた単一コイル最高音ピックアップであって、各単一コイル及び前記第一の磁気方向とは異なる第二の磁気方向を有する第二の磁石を含む最高音ピックアップと；
　磁石なしに前記ギターに取り付けられた単一コイル巻線であって、前記巻線は該ギターの弦の動きに反応せず、リズムピックアップ及び最高音ピックアップから離間して配置された巻線と；
　前記リズムピックアップ及び前記最高音ピックアップの各々の各単一コイル及び前記巻線に接続されたスイッチであって、前記スイッチは少なくとも三つの位置に動作可能であり、第一の位置で前記巻線と前記ピックアップの一方をハムを打ち消す関係に接続し、第二の位置で前記巻線と前記ピック
アップのの他方をハムを打ち消す関係に接続し、第三の位置で前記リズム
ピックアップ及び前記最高音ピックアップをハムを打ち消す関係に接続するスイッチとからなることを特徴とする電子ギター用のピックアップ装置。」
　
　また次の点で相違する。
　
　相違点
　本願補正発明の「スイッチ」は、「前記リズムピックアップ及び前記最高音ピックアップの各々の各単一コイルの両端並びに電気的に接地された一端から前記巻線の他端に接続されたスイッチであって、前記スイッチは少なくとも三つの位置に動作可能であり、第一の位置で前記スイッチは前記巻線を前記ピックアップの一方と直列でありかつハムを打ち消す関係に接続し、第二の位置で前記スイッチは前記巻線を前記ピックアップの他方と直列でありかつハムを打ち消す関係に接続し、第三の位置で前記スイッチは前記リズムピックアップを前記最高音ピックアップと直列でありかつハムを打ち消す関係に接続するスイッチ」とあるとおり、２つのコイルを直列に接続してハムを打ち消すものであるのに対して、引用発明も２つのコイルを接続してハムを打ち消すものであるが、直列に接続するものではなく、並列接続または並列接続と等価な結果となる加算回路への接続をするものであり、それにともない、本願補正発明の「巻線」は、電気的に接地された一端を有するものであるのに対して、「巻線」に対応する引用発明の「ピックアップ６０」は、その「コイル６９」の一端または他端が、スイッチの位置に応じて電気的に接地されるものである点。
　
２−４．相違点に対する判断
　前記２−２．引用例の（１）のように、引用例には「The coils of the two pick-up assemblies are wound in opposite directions and the two coils are connected either in series or in parallel. ……This means that any noise from power line sources, which is otherwise manifested as an objectionable hum, is effectively reduced or cancelled. It is for this reason that such an arrangement is typically characterized as a humbucking arrangement.」と記載されており、２つのコイルを直列または並列に接続して、ハムを減少または打ち消すことが知られている。
　原査定の拒絶の理由に引用された実願昭６２−０９４２４０号（実開昭６４−００３８９９号）の マイクロフィルムにも、２つのコイルを直列に接続して雑音成分を除去することが記載されている。
　これらのことから、引用発明において、並列接続または並列接続と等価な結果となる加算回路への接続をするかわりに、ピックアップ６０及びスイッチについて、
ピックアップ６０のコイル６９の一端を電気的に接地し、
ピックアップ３０及びピックアップ４０の各々の各コイル３９及びコイル４９の両端並びに電気的に接地された一端から前記ピックアップ６０のコイル６９の他端に接続されたスイッチであって、前記スイッチは少なくとも三つの位置に動作可能であり、第一の位置で前記スイッチは前記ピックアップ６０のコイル６９を前記ピックアップ３０及びピックアップ４０の一方と直列でありかつハムを打ち消す関係に接続し、第二の位置で前記スイッチは前記ピックアップ６０のコイル６９を前記ピックアップ３０及びピックアップ４０の他方と直列でありかつハムを打ち消す関係に接続し、第三の位置で前記スイッチは前記ピックアップ３０を前記ピックアップ４０と直列でありかつハムを打ち消す関係に接続するスイッチ
とすることで、本願補正発明の「巻線」及び「スイッチ」と同様の構成とすることに困難な点はない。
　以上のように、本願補正発明は引用発明に基づいて、当業者が容易に発明をすることができたものであるから、特許法第２９条第２項の規定により特許出願の際独立して特許を受けることができない。
　
２−５．むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明について
３−１．本願発明
　平成２０年４月１６日付けの手続補正は上記のとおり却下されたので、本願の請求項１に係る発明（以下、「本願発明」という。）は、平成１９年９月２７日付けの手続補正書の特許請求の範囲の請求項１に記載された事項により特定される、以下のとおりのものである。
　
「弦を有する電子楽器に取り付けられるピックアップ装置において、
前記楽器の弦と電磁気的関係に前記楽器上に取り付けられる二つのピックアップ巻線と；
前記楽器の弦の動きに反応せず、かつ前記二つのピックアップ巻線の能動インダクタンスに影響を与えない様に、前記楽器に取り付けられ磁極片を有しない第三の巻線とを有し；
 　前記二つのピックアップ巻線の一方が前記楽器の弦に関連した第一の磁気方向を有するように配置された磁極片を内蔵し、前記二つのピックアップ巻線の他方が前記楽器の弦に関連した第二の磁気方向を有するように配置された磁極片を内蔵し、
　前記三個の前記巻線のいずれか一つを残りの二つの巻線の一つと電気的に直列に接続するためのスイッチ手段であって、該スイッチ手段は前記巻線に接続されて、該スイッチ手段を介して電気的に直列に接続された前記巻線のいずれか二つが互いに関連して逆の巻線方向に接続させるスイッチ手段と；
　を有することを特徴とするピックアップ装置。」
　
３−２．引用例
　原査定の拒絶の理由に引用された引用例（米国特許第４５８１９７５号明細書）の記載事項及び引用発明は、前記２−２．引用例のとおりである。
　
３−３．対比
　引用発明は、エレキギターのピックアップ装置であるから、弦を有する電子楽器に取り付けられるピックアップ装置といえる。
　引用発明のピックアップ３０とピックアップ４０は、前記２−３．対比のとおり、それぞれ本願補正発明の「リズムピックアップ」と「最高音ピックアップ」に対応するものであるから、本願発明の「前記楽器の弦と電磁気的関係に前記楽器上に取り付けられる二つのピックアップ巻線」と「前記二つのピックアップ巻線の一方が前記楽器の弦に関連した第一の磁気方向を有するように配置された磁極片を内蔵し、前記二つのピックアップ巻線の他方が前記楽器の弦に関連した第二の磁気方向を有するように配置された磁極片を内蔵し」とする点で共通する。
　引用発明のピックアップ６０は、前記２−３．対比で示した点で、本願補正発明の「巻線」と共通するものであるから、本願発明の「第三の巻線」と楽器の弦の動きに反応せず、楽器に取り付けられた点で共通する。
　引用発明のスイッチは、前記２−３．対比で示した点で、本願補正発明の「スイッチ」と共通するものであるから、本願発明の「スイッチ手段」と、三個の巻線のいずれか一つを残りの二つの巻線の一つと電気的に接続するためのものである点で共通する。
　
　したがって、本願発明と引用発明とを対比すると、次の点で一致する。
　
「弦を有する電子楽器に取り付けられるピックアップ装置において、
前記楽器の弦と電磁気的関係に前記楽器上に取り付けられる二つのピックアップ巻線と；
前記楽器の弦の動きに反応せず、前記楽器に取り付けられた第三の巻線とを有し；
 　前記二つのピックアップ巻線の一方が前記楽器の弦に関連した第一の磁気方向を有するように配置された磁極片を内蔵し、前記二つのピックアップ巻線の他方が前記楽器の弦に関連した第二の磁気方向を有するように配置された磁極片を内蔵し、
　前記三個の前記巻線のいずれか一つを残りの二つの巻線の一つと電気的に接続するためのスイッチ手段と；
　を有することを特徴とするピックアップ装置。」
　
　また次の点で相違する。
　
　相違点１
　本願発明の「第三の巻線」は、「前記二つのピックアップ巻線の能動インダクタンスに影響を与えない様に、前記楽器に取り付けられ磁極片を有しない」ものであるのに対して、引用発明のピックアップ６０は磁化されない
ポールピース６１を有するものであり、ピックアップ３０とピックアップ４０の能動インダクタンスに対する影響についての特定がない点。
　
　相違点２
　本願発明の「スイッチ手段」は、「前記三個の前記巻線のいずれか一つを残りの二つの巻線の一つと電気的に直列に接続するためのスイッチ手段で
あって、該スイッチ手段は前記巻線に接続されて、該スイッチ手段を介して電気的に直列に接続された前記巻線のいずれか二つが互いに関連して逆の巻線方向に接続させるスイッチ手段」とあるとおり、２つの巻線を直列に接続するものであるのに対して、引用発明は並列接続または並列接続と等価な結果となる加算回路への接続をするものである点。
　
３−４．相違点に対する判断
　相違点１について
　前記２−２．引用例の（２）のように、引用例には「Also, the arrangement of the primary coils is such that the operation of the secondary humbucking coils is not affected thereby.」と、ピックアップ巻線といえる主コイルが、ハムバッキングコイルの作用に影響しないように配置されることが記載されている。コイル間の相互作用は相対的なものであるから、このことは、ハムバッキングコイルがピックアップ巻線といえる主コイルに影響しないように配置されること、ということもできる。前記２−２．引用例の（３）のように、引用例には「It should also be noted that since coil 69 is not magnetized, it does not affect the signal producing qualities of coil 39.」と、ハムバッキングのためのコイル６９が、ピックアップ３０のコイル３９に影響しないことも記載されている。
　また、引用発明のピックアップ６０のポールピース６１は磁化されないので、楽器の弦の動きに反応しない点では本願発明の「第三の巻線」とかわりはなく、必要なインダクタンスを得るために、コイルをポールピースを有するものとするか否かは、設計事項といえる程度のことである。
　したがって、引用発明のピックアップ６０を本願発明の「第三の巻線」と同様の、ピックアップ３０とピックアップ４０のコイル３９とコイル４９の能動インダクタンスに影響を与えない様に、楽器に取り付けられ磁極片を有しないものとすることに困難な点はない。
　
　相違点２について
　前記２−４．相違点に対する判断において、引用発明の「スイッチ」を本願補正発明の「スイッチ」と同様の構成とすることに困難な点はないとしたことと同様の理由により、引用発明の「スイッチ」を本願発明の「スイッチ手段」と同様の構成とすることに困難な点はない。
　
　以上のように、本願発明は引用発明に基づいて、当業者が容易に発明をすることができたものである。
　
３−５．むすび
　上述のとおり、本願発明は、引用発明に基づいて、当業者が容易に発明をすることができたものであるから、特許法第２９条第２項の規定により特許を受けることができない。
　よって、結論のとおり審決する。